(57)【要約】【課題】圧力スイッチについて誘導ノイズやサージノイズの発生時における誤動作を回避する。【解決手段】光を出射する光源１１と、投光側光ファイバ１２と、投光側光ファイバ１２から光が出射される出射端部１２１からの出射光を一定角度の方向に反射させる反射板１３と、測定対象の圧力に応じた量の伸縮動作によって出射端部１２１及び反射板１３間の距離を異ならせるベローズ１４と、出射端部１２１からの出射光が反射板１３によって反射される領域内に、当該反射光が入射される入射端部１５１が、ベローズ１４の伸縮方向において互いに異なる位置に設けられた２つの受光側光ファイバ１５と、２さの受光側光ファイバ１５の他端部に接続され、当該２さの受光側光ファイバ１５のいずれから光を受光するかに基づいてスイッチをオンオフさせるスイッチ部１６を圧力スイッチ１が備える。【選択図】図１
2009222402.tif 000002
【特許請求の範囲】
【請求項１】
光を出射する光源と、
前記光源から入射された光を伝搬する投光側光ファイバと、
前記投光側光ファイバから光が出射される出射端部からの出射光を、予め定められた一定角度の方向に反射させる反射板と、
前記出射端部に対向する部分に前記反射板が設けられ、測定対象の圧力に応じた量の伸縮動作によって前記出射端部及び前記反射板間の距離を異ならせるベローズと、
前記出射端部からの出射光が前記反射板によって反射される領域内に、当該反射光が入射される入射端部が、前記ベローズの伸縮方向において互いに異なる位置に設けられた複数の受光側光ファイバと、
前記複数の受光側光ファイバの他端部に接続され、当該複数の受光側光ファイバのいずれから光を受光するかに基づいてスイッチをオンオフさせるスイッチ部と
を備えた圧力スイッチ。
【請求項２】
光を出射する光源と、
前記光源から入射された光を伝搬する投光側光ファイバと、
前記投光側光ファイバから光が出射される出射端部に対向する位置に先端部が配置され、測定対象の圧力に応じた量の伸縮動作によって前記出射端部と前記先端部間の距離を異ならせるベローズと、
前記出射端部から出射される出射光を反射させ、その一端部がケーシング内壁に回動自在に取り付けられ、他端部が前記ベローズ端部に接触し、前記ベローズの伸縮動作に伴って前記出射光に対する角度が変化する反射板と、
前記出射端部からの出射光が前記反射板によって反射される領域内に、当該反射光が入射される入射端部が、前記反射板の角度変化に伴って形成される前記反射光の軌跡方向において互いに異なる位置に設けられた複数の受光側光ファイバと、
前記複数の受光側光ファイバの他端部に接続され、当該複数の受光側光ファイバのいずれから光を受光するかに基づいてスイッチをオンオフさせるスイッチ部と
を備えた圧力スイッチ。
【請求項３】
前記投光側光ファイバの出射端部に集光レンズが設けられ、
前記反射板は、前記集光レンズからの出射光を反射させる請求項１又は請求項２に記載の圧力スイッチ。
【請求項４】
前記投光側光ファイバの出射端部からの出射光が前記反射板によって反射される領域内に、それぞれ入射端部を有する２つの前記受光側光ファイバが設けられ、
前記スイッチ部は、一方の前記受光側光ファイバから光を受光したときにスイッチをオンとし、他方の前記受光側光ファイバから光を受光したときはスイッチをオフとする請求項１乃至請求項３のいずれかに記載の圧力スイッチ。
【請求項５】
請求項４に記載の圧力スイッチと、
前記スイッチ部から出力されるスイッチオン信号又はスイッチオフ信号に従って、熱交換器で用いられる冷媒を圧縮する圧縮機の動作を制御する制御部とを備え、
前記ベローズは前記冷媒の圧力に応じた量の伸縮動作を行い、前記制御部は、前記スイッチオフ信号に従って前記圧縮機を停止させ、前記スイッチオン信号に従って前記圧縮機の動作を開始させる空気調和機用制御装置。
【請求項６】
請求項４に記載の圧力スイッチと、
熱交換器と、
前記熱交換器で用いられる冷媒を圧縮する圧縮機と、
前記スイッチ部から出力されるスイッチオン信号又はスイッチオフ信号に従って、前記圧縮機の動作を制御する制御部とを備え、
前記ベローズは前記冷媒の圧力に応じた量の伸縮動作を行い、前記制御部は、前記スイッチオフ信号に従って前記圧縮機を停止させ、前記スイッチオン信号に従って前記圧縮機の動作を開始させる空気調和機用室外機。
【発明の詳細な説明】
【技術分野】
【０００１】
本発明は、圧力スイッチ、空気調和機用制御装置、及び空気調和機用室外機に関し、特に、測定対象の圧力変化に応じてスイッチのオン又はオフの動作を行う技術に関する。
【背景技術】
【０００２】
従来から、測定対象の圧力変化に応じてスイッチのオン又はオフの動作を行う圧力スイッチが提案されている。このような圧力スイッチとしては、例えば、下記特許文献１に示されるように、作動流体の圧力が所定値以上になると第１のディスク位置から第２のディスク位置へ変位するスナップアクションディスク５０と、このスナップアクションディスク５０の変位に伴って上下動する可動接点操作ロッド２２’と、可動接点操作ロッド２２’の下端２２ｂ’に当接された可動接点アーム２４とを有し、作動流体の圧力変動に伴ってスナップアクションディスク５０が変位して下方に移動すると、可動接点操作ロッド２２’が可動接点アーム２４を押し下げ、可動接点アーム２４の先端に設けられた可動接点２８と固定接点３２ａとが接触することでスイッチがオンとなる圧力スイッチがある。
【特許文献１】特開平７−１３０２６１号公報
【発明の開示】
【発明が解決しようとする課題】
【０００３】
上記従来の圧力スイッチによって、例えば、空気調和機の冷媒圧力が正常であるか否かを適正に検知する場合、当該圧力スイッチを冷媒配管の近傍に設置して、当該冷媒配管内の圧力を検知対象とする。すなわち、上記可動接点２８及び固定接点３２ａやこれら接点の動作に基づくスイッチ検出回路等が冷媒配管の近傍に配置されることになる。この冷媒配管はアースされており、当該圧力スイッチの検出回路等は冷媒配管に対して絶縁されているが、条件によっては、圧力スイッチの検出回路と冷媒配管（アース）との電位差は200V以上になることがある。そのため、例えば地落等により冷媒配管に大電流が流れて誘導ノイズが発生したり、サージノイズが生じたりすると、上記圧力スイッチの検出回路等が誤動作する虞がある。
【０００４】
本発明は、上記の問題を解決するためになされたもので、圧力スイッチについて誘導ノイズやサージノイズの発生時における誤動作を回避することを目的とする。
【課題を解決するための手段】
【０００５】
本発明の請求項１に記載の発明は、光を出射する光源と、
前記光源から入射された光を伝搬する投光側光ファイバと、
前記投光側光ファイバから光が出射される出射端部からの出射光を、予め定められた一定角度の方向に反射させる反射板と、
前記出射端部に対向する部分に前記反射板が設けられ、測定対象の圧力に応じた量の伸縮動作によって前記出射端部及び前記反射板間の距離を異ならせるベローズと、
前記出射端部からの出射光が前記反射板によって反射される領域内に、当該反射光が入射される入射端部が、前記ベローズの伸縮方向において互いに異なる位置に設けられた複数の受光側光ファイバと、
前記複数の受光側光ファイバの他端部に接続され、当該複数の受光側光ファイバのいずれから光を受光するかに基づいてスイッチをオンオフさせるスイッチ部と
を備えた圧力スイッチである。
【０００６】
この発明では、測定対象の圧力が変化すると、当該圧力変化に応じたベローズの伸縮動作により、ベローズが、光源からの光を出射する投光側光ファイバの出射端部と反射板との間の距離を異ならせるので、反射板によって反射光の反射される先が、測定対象の圧力変化に応じてベローズの伸縮方向において異なることになる。そして、反射板による反射光が反射される領域内でベローズの伸縮方向において異なる位置に、入射端部をそれぞれ有する複数の受光側光ファイバを設け、当該複数の受光側光ファイバのいずれから光を受光するかに基づいて、スイッチ部がスイッチをオンオフさせる。このため、本発明は、測定対象の圧力変化に応じて可動する可動機構部分が電気的機能を有していないので、当該可動機構部分を、誘導ノイズやサージノイズが発生しやすい領域に配置可能である。また、当該可動機構部分と上記スイッチ部とを、電気的機能を有しない受光側光ファイバで接続することにより、当該スイッチ部を、誘導ノイズやサージノイズが発生しやすい領域から離れた位置に配置することが可能である。これにより、本発明では、誘導ノイズやサージノイズの発生時における誤動作を生じることなく、測定対象の圧力変化に基づいてスイッチをオンオフさせることができる。
【０００７】
また、請求項２に記載の発明は、光を出射する光源と、
前記光源から入射された光を伝搬する投光側光ファイバと、
前記投光側光ファイバから光が出射される出射端部に対向する位置に先端部が配置され、測定対象の圧力に応じた量の伸縮動作によって前記出射端部と前記先端部間の距離を異ならせるベローズと、
前記出射端部から出射される出射光を反射させ、その一端部がケーシング内壁に回動自在に取り付けられ、他端部が前記ベローズ端部に接触し、前記ベローズの伸縮動作に伴って前記出射光に対する角度が変化する反射板と、
前記出射端部からの出射光が前記反射板によって反射される領域内に、当該反射光が入射される入射端部が、前記反射板の角度変化に伴って形成される前記反射光の軌跡方向において互いに異なる位置に設けられた複数の受光側光ファイバと、
前記複数の受光側光ファイバの他端部に接続され、当該複数の受光側光ファイバのいずれから光を受光するかに基づいてスイッチをオンオフさせるスイッチ部と
を備えた圧力スイッチである。
【０００８】
この構成によれば、測定対象の圧力が変化すると、当該圧力変化に応じてベローズが伸縮し、当該伸縮動作により、ベローズが、投光側光ファイバの出射光に対する反射板の角度を変化させるので、反射板によって反射光の反射される先が、測定対象の圧力変化に応じてベローズの伸縮方向において異なることになる。そして、反射板による反射光が反射される領域内でベローズの伸縮方向において異なる位置に、入射端部をそれぞれ有する複数の受光側光ファイバを設け、当該複数の受光側光ファイバのいずれから光を受光するかに基づいて、スイッチ部がスイッチをオンオフさせる。このため、本発明は、測定対象の圧力変化に応じて可動する可動機構部分が電気的機能を有していないので、当該可動機構部分を、誘導ノイズやサージノイズが発生しやすい領域に配置可能である。また、当該可動機構部分と上記スイッチ部とを、電気的機能を有しない受光側光ファイバで接続することにより、当該スイッチ部を、誘導ノイズやサージノイズが発生しやすい領域から離れた位置に配置可能である。これにより、本発明では、誘導ノイズやサージノイズの発生時における誤動作を生じることなく、測定対象の圧力変化に基づいてスイッチをオンオフさせることができ、さらには、ベローズの変位に対する反射光の変位が上記反射板の角度変化により増幅されるため、測定対象の圧力変化に応じて正確にスイッチをオンオフさせることができる。
【０００９】
また、請求項３に記載の発明は、請求項１又は請求項２に記載の圧力スイッチであって、前記投光側光ファイバの出射端部に集光レンズが設けられ、
前記反射板は、前記集光レンズからの出射光を反射させるものである。
【００１０】
この構成によれば、投光側光ファイバの出射端部から出射される光を集光レンズが集光させ、当該集光された光が、受光側光ファイバの入射端部に向けて反射板により反射されるので、受光側光ファイバの入射端部に入射する反射光の強度を効率よく高めることができ、測定対象の圧力変化に応じてより正確にスイッチをオンオフさせることができる。
【００１１】
また、請求項４に記載の発明は、請求項１乃至請求項３のいずれかに記載の圧力スイッチであって、前記投光側光ファイバの出射端部からの出射光が前記反射板によって反射される領域内に、それぞれ入射端部を有する２つの前記受光側光ファイバが設けられ、
前記スイッチ部は、一方の前記受光側光ファイバから光を受光したときにスイッチをオンとし、他方の前記受光側光ファイバから光を受光したときはスイッチをオフとする。
【００１２】
この構成によれば、誘導ノイズやサージノイズの発生時における誤動作を生じることなく、測定対象の圧力変化に基づいて正確にスイッチをオンオフさせることができる。
【００１３】
また、請求項５に記載の発明は、請求項４に記載の圧力スイッチと、
前記スイッチ部から出力されるスイッチオン信号又はスイッチオフ信号に従って、熱交換器で用いられる冷媒を圧縮する圧縮機の動作を制御する制御部とを備え、
前記ベローズは前記冷媒の圧力に応じた量の伸縮動作を行い、前記制御部は、前記スイッチオフ信号に従って前記圧縮機を停止させ、前記スイッチオン信号に従って前記圧縮機の動作を開始させる空気調和機用制御装置である。
【００１４】
また、請求項６に記載の発明は、請求項４に記載の圧力スイッチと、
熱交換器と、
前記熱交換器で用いられる冷媒を圧縮する圧縮機と、
前記スイッチ部から出力されるスイッチオン信号又はスイッチオフ信号に従って、前記圧縮機の動作を制御する制御部とを備え、
前記ベローズは前記冷媒の圧力に応じた量の伸縮動作を行い、前記制御部は、前記スイッチオフ信号に従って前記圧縮機を停止させ、前記スイッチオン信号に従って前記圧縮機の動作を開始させる空気調和機用室外機である。
【００１５】
これらの構成によれば、上記圧力スイッチを、空気調和機における上記冷媒の配管の近傍に設置して、当該冷媒の圧力が正常であるか否かを適正に検知する場合に、当該冷媒の配管がアースされ、当該圧力スイッチ等は冷媒配管に対して絶縁されており、圧力スイッチと冷媒配管（アース）との電位差が大きいような条件下でも、誘導ノイズやサージノイズの発生による上記圧力スイッチ誤動作を生じることなく、冷媒の圧力変化に基づいて、制御部が正確に圧縮機の動作を制御することが可能になる。
【発明の効果】
【００１６】
本発明によれば、測定対象の圧力変化に応じて可動する可動機構部分が電気的機能を有していないので、当該可動機構部分を、誘導ノイズやサージノイズが発生しやすい領域に配置可能になる。また、当該可動機構部分と上記スイッチ部とを、電気的機能を有しない受光側光ファイバで接続することにより、当該スイッチ部を、誘導ノイズやサージノイズが発生しやすい領域から離れた位置に配置可能である。これにより、本発明では、誘導ノイズやサージノイズの発生時における誤動作を生じることなく、測定対象の圧力変化に基づいてスイッチをオンオフさせることができる。
【発明を実施するための最良の形態】
【００１７】
以下、本発明に係る圧力スイッチ、空気調和機用制御装置、及び空気調和機用室外機について図面を参照して説明する。図１は、本発明の第１実施形態に係る圧力スイッチの概略構成を示す断面図である。
【００１８】
本発明の第１実施形態に係る圧力スイッチ１は、光源１１と、投光側光ファイバ１２と、反射板１３と、ベローズ１４と、受光側光ファイバ１５と、スイッチ部１６と、ケーシング２０とを有している。
【００１９】
光源１１は、例えばＬＥＤ（Light Emitting Diode）等からなり、光を出射する。投光側光ファイバ１２は、光源１１に接続されている。投光側光ファイバ１２は、光源１１から入射する光を反射板１３に向けて伝搬する。
【００２０】
ケーシング２０は、合成樹脂等からなり、内部に凹部２０１が形成されている。ケーシング２０は、凹部２０１の開口部を台座１８に向けた姿勢で、金属等からなる台座１８上に取り付けられている。
【００２１】
投光側光ファイバ１２は、台座１８に面しているケーシング２０の側面２０ａとは反対方向側となる側面２０ｂに取り付けられている。投光側光ファイバ１２は、側面２０ｂから凹部２０１に達するようにケーシング２０を貫通させて設けられている。凹部２０１の内壁２０１ａには、投光側光ファイバ１２によって光が出射される出射端部１２１が配設されている。さらに、当該出射端部１２１には集光レンズ１７が取り付けられている。当該出射端部１２１及び集光レンズ１７に対向する位置（図１では下方となる位置）となる台座１８上には、ベローズ１４が固定されて設けられている。
【００２２】
ベローズ１４は、その内部が、台座１８を貫通する例えば銅管２１を介して測定対象物（例えば、空気調和機の冷媒配管内）に連結されており、当該ベローズ１４の内部に測定対象物の流体が引き込まれている。ベローズ１４は、その下部１４ｂが台座１８上に固定されているため、測定対象物の圧力変化に応じた量での伸縮動作を行う。ベローズ１４の当該伸縮動作の方向は、投光側光ファイバ１２の出射端部１２１から出射される光の方向と同方向とされている。ベローズ１４の上部（台座１８に接する部分とは反対側の部分）１４ａは平面状に形成されており、投光側光ファイバ１２の出射端部１２１に対向している。当該平面状のベローズ１４の上部１４ａには、投光側光ファイバ１２の出射端部１２１から出射される光が照射される。反射板１３は、当該ベローズ１４の上部１４ａに設けられている。すなわち、ベローズ１４は、測定対象物の圧力変化に応じた上記伸縮動作により、出射端部１２１とベローズ１４上部１４ａ及び反射板１３との距離を異ならせる。
【００２３】
反射板１３は、投光側光ファイバ１２の出射端部１２１に対向する位置に設けられ、出射端部１２１からの出射光を、予め定められた一定角度の方向に反射させる反射面１３１を有する。反射面１３１は、例えば鏡面からなる。本実施形態では、反射板１３は、その反射面１３１の角度が、出射端部１２１からの出射光の反射面１３１に対する入射角が約45度となるように設けられている。すなわち、反射面１３１は、出射端部１２１からの出射光を、90度角度を変化させて内壁２０１ｂに向けて反射させる。
【００２４】
内壁２０１ｂにおける、投光側光ファイバ１２の出射端部１２１からの出射光が反射板１３で反射される領域内には、２つの受光側光ファイバ１５の入射端部１５１が設けられている。各入射端部１５１には、反射板１３からの上記反射光が入射される。受光側光ファイバ１５内には、当該入射端部１５１から上記反射光が導入される。各入射端部１５１は、ベローズ１４の伸縮方向において互いに異なる位置に設けられている。
【００２５】
ベローズ１４が上記伸縮動作を行うと、測定対象の圧力変化に応じて、反射板１３と投光側光ファイバ１２の出射端部１２１との距離が変化し、しかも、反射板１３の反射面１３１は、当該出射端部１２１からの出射光を90度変化させて反射させるため、当該反射面１３１による反射光が到達する内壁２０１ｂにおける位置は、測定対象物の圧力変化に応じて変化する。上記２つの入射端部１５１は、図１に示すように、ベローズ１４の上記伸縮方向においてそれぞれ異なる位置に配置されているため、測定対象物の圧力が異なると、反射面１３１からの反射光が入射する入射端部１５１（受光側光ファイバ１５）が異なる。
【００２６】
入射端部１５１に通じる受光側光ファイバ１５のそれぞれは、他端部（入射端部１５１とは異なる方の端部）がスイッチ部１６に接続されている。すなわち、各受光側光ファイバ１５は、入射端部１５１から入射した入射光をスイッチ部１６まで導く。
【００２７】
なお、上記のように測定対象物の圧力変化に応じた動作を行うベローズ１４及び反射板１３と、投光側光ファイバ１２の出射端部１２１と、受光側光ファイバ１５の入射端部１５１とは、ケーシング２０で覆われた凹部２０１内に設けられているため、水分や埃から保護されている。また、投光側光ファイバ１２及び受光側光ファイバ１５は、耐熱性の高いガラスファイバであることが好ましい。
【００２８】
スイッチ部１６は、上記２つの受光側光ファイバ１５のいずれから光を受光するかを判断し、一方の受光側光ファイバ１５から光を受光するとスイッチをオンさせるスイッチオン信号を後述する制御部に出力し、他方の受光側光ファイバ１５から光を受光するとスイッチをオフさせるスイッチオフ信号を制御部に出力する。スイッチ部１６の構成は後述する。
【００２９】
図１に示した実施形態では、内壁２０１ｂに２つの入射端部１５１（受光側光ファイバ１５）を設けた例を示したが、内壁２０１ｂに設ける入射端部１５１（受光側光ファイバ１５）の数は、２つに限定されない。例えば、内壁２０１ｂにおいてベローズ１４の伸縮方向に位置を異ならせて複数の入射端部１５１（受光側光ファイバ１５）を配置し、スイッチ部１６が、各入射端部１５１（受光側光ファイバ１５）から光を受光する毎に上記スイッチオン信号又はスイッチオフ信号を出力する構成とすれば、スイッチ部１６にスイッチング動作を行わせる測定対象物の圧力の閾値（スイッチ信号を出力するトリガとなる圧力の閾値）を、配置する入射端部１５１の数だけ設定できる。
【００３０】
次に、本発明の第２実施形態に係る圧力スイッチについて説明する。図２は、本発明の第２実施形態に係る圧力スイッチの概略構成を示す断面図である。なお、第１実施形態に係る圧力スイッチ１と同様の構成については説明を省略し、主に異なる点を説明する。
【００３１】
本発明の第２実施形態に係る圧力スイッチ１０は、第１実施形態に係る圧力スイッチ１と同様に、光源１１と、投光側光ファイバ１２と、ベローズ１４と、受光側光ファイバ１５と、スイッチ部１６と、ケーシング２０とを有している。圧力スイッチ１０は、第１実施形態に係る圧力スイッチ１の反射板１３とは異なる構成でなる反射板１３０を有している。
【００３２】
反射板１３０は、投光側光ファイバ１２の出射端部１２１に対向する位置に設けられ、出射端部１２１からの出射光を反射する反射面１３０１を有する。反射面１３０１は、例えば鏡面からなる。反射板１３０は、その一側端部１３０２が、ケーシング２０の内壁２０ｃに回動自在に取り付けられている。内壁２０ｃは、入射端部１５１（受光側光ファイバ１５）が設けられている内壁２０１ｂに対向する側の側壁である。反射面１３０１の他端部１３０３は、ベローズ１４の上端部に接触させて配設されている。但し、当該他端部１３０３は、ベローズ１４の上端部に固定されていない。
【００３３】
上記構成により、ベローズ１４が上記伸縮動作を行うと、ベローズ１４の上端部により反射面１３０１の他端部１３０３が図２において上方に押下され、当該伸縮動作に伴って、投光側光ファイバ１２の出射端部１２１からの出射光に対する反射面１３０１の角度が変化する。当該測定対象物の圧力変化に伴うベローズ１４の伸縮動作により反射面１３０１の角度が変化すると、当該反射面１３０１による反射光が到達する内壁２０１ｂにおける位置は、反射面１３０１に対する上記出射光の入射角の変化に応じて変化する。
【００３４】
内壁２０１ｂにおける、上記出射端部１２１からの出射光が反射板１３０で反射される領域内に、２つの受光側光ファイバ１５の入射端部１５１が設けられている。各入射端部１５１は、ベローズ１４の伸縮動作に伴う反射面１３０１の上記角度変化に伴って形成される反射面１３０１での反射光の軌跡方向において互いに異なる位置に設けられている。このため、測定対象物の圧力が異なると、反射面１３０１からの反射光が入射する入射端部１５１（受光側光ファイバ１５）が異なる。
【００３５】
なお、第２実施形態に係る圧力スイッチ１０は、測定対象物の圧力変化に応じたベローズ１４の変位に応じて、投光側光ファイバ１２の出射端部１２１からの出射光の反射面１３０１に対する入射角が変化して当該入射光の反射面１３０１での反射角も変化するため、測定対象物の圧力変化に応じたベローズ１４の変位に対する、側壁２０１ｂでの上記反射光の到達位置の変位が、第１実施形態に係る圧力スイッチ１よりも増幅される。そのため、第２実施形態に係る圧力スイッチ１０によれば、測定対象の圧力変化に応じて更に正確にスイッチをオンオフさせることができる。
【００３６】
次に、本発明の一実施形態に係る圧力スイッチ１，１０、空気調和機用制御装置、及び空気調和機用室外機の構成を説明する。図３は本発明の一実施形態に係る圧力スイッチ１，１０、空気調和機用制御装置、及び空気調和機用室外機の構成を示すブロック図、図４は本発明の一実施形態に係る空気調和機用室外機の概略構成を示す図である。
【００３７】
測定部１９は、反射板１３又は反射板１３０と、ベローズ１４と、ケーシング２０と、台座１８とを有してなる。圧力スイッチ１，１０は、光源１１と、投光側光ファイバ１２と、測定部１９と、受光側光ファイバ１５と、スイッチ部１６とを備えてなる。また、本発明の一実施形態に係る空気調和機用制御装置１００は、圧力スイッチ１又は１０と、制御部２５とを備えてなる。本発明の一実施形態に係る空気調和機用室外機１０１は、圧力スイッチ１又は１０と、制御部２５とに加えて、圧縮機３０等の一般的な空調動作に必須の機構を有してなる。
【００３８】
上述したように、光源１１と測定部１９とは、投光側光ファイバ１２によって光伝搬可能に連結されている。測定部１９とスイッチ部１６とは、２つの受光側光ファイバ１５によって光伝搬可能に連結されている。このため、光源１１及びスイッチ部１６は、測定部１９と電気的な接続を行うことなく、測定部１９から距離が離れた位置に配置することが可能である。
【００３９】
スイッチ部１６は、測定部１９に備えられている２つの受光側光ファイバ１５のそれぞれに対応させて、受光部１６１、増幅器１６２，Ａ／Ｄ変換器１６３を備える。すなわち、スイッチ部１６には、受光部１６１、増幅器１６２，Ａ／Ｄ変換器１６３を２組設けられている。さらに、スイッチ部１６は、演算部１６４を備えている。
【００４０】
受光部１６１は、例えばフォトダイオード等からなり、受光側光ファイバ１５から受光した光を、その光強度に対応した電流値に変換する。増幅器１６２は、受光部１６１によって検出された光強度の電流値を増幅する。Ａ／Ｄ変換器１６３は、増幅器１６２によって増幅された光強度の電流値をデジタル値に変換し、演算部１６４に出力する。
【００４１】
演算部１６４は、２つの受光側光ファイバ１５に対応するそれぞれのＡ／Ｄ変換器１６３からの出力値を、予め定められた閾値と比較し、出力値が予め定められた閾値に達している場合に、スイッチオン信号又はスイッチオフ信号を制御部２５に出力する。例えば、演算部１６４は、上記２つの受光側光ファイバ１５の一方に対応するＡ／Ｄ変換器１６３からの出力値が予め定められた閾値に達している場合にスイッチオン信号を出力し、受光側光ファイバ１５の他方に対応するＡ／Ｄ変換器１６３からの出力値が予め定められた閾値に達している場合にスイッチオフ信号を出力する。
【００４２】
制御部２５は、圧縮機３０を含む空気調和機用室外機の全体的な動作制御を司る。制御部２５は、圧縮機３０の動作制御時に、上記演算部１６４からのスイッチオン信号及びスイッチオフ信号に基づいて、圧縮機３０の動作を制御する。例えば、測定対象物である冷媒配管（圧縮機３０の吐出管）内の冷媒が予め定められた高圧となった場合、すなわち、測定部１９のベローズ１４の変位量が比較的大きい場合に反射板１３又は反射板１３０からの反射光が入射する位置に入射端部１５１が配設されている受光側光ファイバ１５に対応するＡ／Ｄ変換器１６３からの出力値が上記閾値に達している場合に、演算部１６４は、スイッチオフ信号を出力する。制御部２５は、当該スイッチオフ信号を指示信号として受けると、圧縮機３０に圧縮動作を停止させる又は圧縮能力を低下させる。一方、上記冷媒配管内の冷媒が予め定められた低圧となった場合（ベローズ１４の変位量が比較的小さい場合）に上記反射光が入射する位置に配置されている入射端部１５１の受光側光ファイバ１５に対応するＡ／Ｄ変換器１６３からの出力値が上記閾値に達している場合は、演算部１６４は、スイッチオン信号を出力する。制御部２５は、当該スイッチオン信号を指示信号として受けると、圧縮機３０に圧縮動作を開始させる又は圧縮能力を高めさせる。
【００４３】
なお、本発明は上記実施の形態の構成に限られず種々の変形が可能である。上記実施形態では、圧力スイッチ１，１０に２つの受光側光ファイバ１５が設けられており、いずれの受光側光ファイバ１５から光を受光するかに基づいて、演算部１６４がスイッチオン信号又はスイッチオフ信号の出力を切り換え、制御部２５が圧縮機３０の圧縮動作を開始又は停止させるようにしているが、例えば、圧力スイッチ１，１０に、上記２つの受光側光ファイバ１５よりも更に高い圧力に測定対象物がなったときに、反射面１３１，１３０１からの反射光が届く位置に入射端部１５１が設けられた受光側光ファイバ１５を更に設け、演算部１６４は、当該受光側光ファイバ１５から光を受光した場合に、圧縮機３０の圧力異常を示す信号を制御部２５に出力し、制御部２５は当該異常信号を受けて、圧縮機３０の動作を緊急停止させる等の制御を行うようにしもてよい。
【００４４】
また、上記実施形態では、圧力スイッチ１，１０が空気調和機用室外機に用いられる例を示したが、圧力スイッチ１，１０は空気調和機用室外機の機器にも広く適用が可能である。
【００４５】
また、上記図１乃至図４に示した構成等はあくまでも本発明の一実施形態に過ぎず、本発明を上記実施形態に限定する趣旨ではない。
【図面の簡単な説明】
【００４６】
【図１】本発明の第１実施形態に係る圧力スイッチの概略構成を示す断面図である。
【図２】本発明の第２実施形態に係る圧力スイッチの概略構成を示す断面図である。
【図３】本発明の一実施形態に係る圧力スイッチ、空気調和機用制御装置、及び空気調和機用室外機の構成を示すブロック図である。
【図４】本発明の一実施形態に係る空気調和機用室外機の概略構成を示す図である。
【符号の説明】
【００４７】
１，１０          圧力スイッチ
１１              光源
１２              投光側光ファイバ
１２１            出射端部
１３              反射板
１４              ベローズ
１３０            反射板
１３１，１３０１  反射面
１５              受光側光ファイバ
１５１            入射端部
１６              スイッチ部
１６１            受光部
１７              集光レンズ
１９              測定部
２５              制御部
３０              圧縮機
１００            空気調和機用制御装置
１０１            空気調和機用室外機
【図１】
2009222402.tif 000003
【図２】
2009222402.tif 000004
【図３】
2009222402.tif 000005
【図４】
2009222402.tif 000006